(57)【要約】【課題】  必要な医療情報を利用者間で相互に活用可能な電子カルテの管理システムおよび方法、プログラムおよび記録媒体を提供する。【解決手段】  会員がネットワーク４を介して入力したカルテ情報９を含むイメージデータから文字情報よりなるテキストデータ１１を抽出し、このテキストデータ１１の内容を統計分析しレポートデータ１２を作成し、このテキストデータおよびレポートデータ１２を該会員の会員番号に関連付けして記憶する会員情報データベース８と、レポートデータ１２から疾病毎の処方薬品に関するデータなどを抽出し電子カルテ部品データを生成し、会員が任意に読出し可能に記憶する電子カルテ部品データベースと、電子カルテ部品データを読出して利用した会員に該利用の対価を課金する課金手段１５とを備える。【選択図】      図５
2005196394.tif 000002
【特許請求の範囲】
【請求項１】
複数の会員が接続するネットワーク上に構築され、患者ごとの診療に関するカルテ情報を記憶および管理するための電子カルテの管理システムであって、
前記会員が前記ネットワークを介して入力した前記カルテ情報を含むイメージデータおよび／または音声データから文字情報よりなるテキストデータを抽出し、このテキストデータの内容を統計分析し、すくなくとも疾病ごとの処方薬品に関する情報を含むレポートデータを作成し、このテキストデータおよびレポートデータを該会員の会員番号に関連付けして記憶する会員情報データベースと、
前記レポートデータからすくなくとも疾病毎の処方薬品に関するデータを抽出し、前記電子カルテデータに組込み可能なデータ形式に変換して電子カルテ部品データを生成し前記会員が任意に読出し可能に記憶する電子カルテ部品データベースと、
前記電子カルテ部品データを前記電子カルテデータに組み込むために読出して利用した会員に該利用の対価を課金する課金手段と、
を備えることを特徴とする電子カルテの管理システム。
【請求項２】
前記課金手段は、
前記電子カルテ部品データが前記電子カルテ部品データベース読出されたことに応じて、該電子カルテ部品データに関連付けされた前記会員番号に該当する会員に対価を支払うことを特徴とする請求項１に記載の電子カルテの管理システム。
【請求項３】
前記課金手段は、
前記電子カルテ部品データが新規に前記電子カルテ部品データベースに記憶されたことに応じて、該電子カルテ部品データに関連付けされた前記会員番号に該当する会員に対価を支払うことを特徴とする請求項１または２のいずれかに記載の電子カルテの管理システム。
【請求項４】
前記レポートデータは、少なくとも、前記患者の年齢に応じた薬品処方量データ、治療に有効な薬品処方の組合わせデータ、疾病別処方薬品データのうちのいずれかを含むことを特徴とする請求項１〜３のいずれかに記載の電子カルテの管理システム。
【請求項５】
複数の会員が接続するネットワーク上に構築され、患者ごとの診療に関するカルテ情報を記憶および管理するための電子カルテの管理システムであって、
前記会員が前記ネットワークを介して入力した前記カルテ情報を含むイメージデータから文字情報よりなるテキストデータを抽出し、このテキストデータから前記患者の個人を特定する情報を削除した内容を統計分析し、すくなくとも疾病ごとの診療に関する診療情報を作成して記憶する診療情報データベースと、
を備えることを特徴とする電子カルテの管理システム。
【請求項６】
前記診療情報は、
少なくとも、疾病ごとの発生動向と患者数、期間ごとの疾病の発生動向と患者数、地域ごとの疾病の発生動向と患者数、のうちのいずれかを含むことを特徴とする請求項５に記載の電子カルテの管理システム。
【請求項７】
前記イメージデータは、
ＦＡＸにより送信された前記カルテ情報をデータ変換手段によって前記イメージデータに変換したものであることを特徴とする請求項１〜６のいずれかに記載の電子カルテの管理システム。
【請求項８】
前記ＦＡＸにて送信された前記カルテ情報は、
前記イメージデータに変換された後に該カルテ情報が抹消手段により抹消されることを特徴とする請求項７に記載の電子カルテの管理システム。
【請求項９】
前記ネットワークは、インターネットと隔離されたネットワークに構築されていることを特徴とする請求項１〜８のいずれかに記載の電子カルテの管理システム。
【請求項１０】
前記課金手段は、前記ネットワーク上で全ての決済が完了することを特徴とする請求項１〜９のいずれかに記載の電子カルテの管理システム。
【請求項１１】
前記ネットワークは、
少なくとも前記会員ごとにそれぞれ付与された個人認証のための認証ＩＤもしくはパスワードもしくはその両方によって認証を行う認証手段を備え、この認証手段による認証をもって前記会員が前記ネットワークに接続可能とすることを特徴とする請求項１〜１０のいずれかに記載の電子カルテの管理システム。
【請求項１２】
前記音声データは、
電話回線を介して入力され、音声データ変換手段により前記テキストデータに変換されることを特徴とする請求項１〜１１のいずれかに記載の電子カルテの管理システム。
【請求項１３】
複数の会員が接続するネットワーク上に構築され、患者ごとの診療に関するカルテ情報を記憶した電子カルテデータを管理するための電子カルテの管理方法であって、
前記会員が前記ネットワークを介して入力した前記カルテ情報を含むイメージデータおよび／または音声データから文字情報よりなるテキストデータを抽出し、このテキストデータの内容を統計分析し、すくなくとも疾病ごとの処方薬品に関する情報を含むレポートデータを作成し、このテキストデータおよびレポートデータを該会員の会員番号に関連付けして会員情報データベースに記憶し、
前記レポートデータからすくなくとも疾病毎の処方薬品に関するデータを抽出し、前記電子カルテデータに組込み可能なデータ形式に変換して電子カルテ部品データを生成し前記会員が任意に読出し可能な電子カルテ部品データベースに記憶し、
前記電子カルテ部品データを前記電子カルテデータに組み込むために読出して利用した会員に該利用の対価を課金手段によって課金することにより管理を行うことを特徴とする電子カルテの管理方法。
【請求項１４】
前記課金手段は、
前記電子カルテ部品データが前記電子カルテ部品データベース読出されたことに応じて、該電子カルテ部品データに関連付けされた前記会員番号に該当する会員に対価を支払うことを特徴とする請求項１３に記載の電子カルテの管理方法。
【請求項１５】
前記課金手段は、
前記電子カルテ部品データが新規に前記電子カルテ部品データベースに記憶されたことに応じて、該電子カルテ部品データに関連付けされた前記会員番号に該当する会員に対価を支払うことを特徴とする請求項１３または１４のいずれかに記載の電子カルテの管理方法。
【請求項１６】
前記レポートデータは、少なくとも、前記患者の年齢に応じた薬品処方量データ、治療に有効な薬品処方の組合わせデータ、疾病別処方薬品データのうちのいずれかを含むことを特徴とする請求項１３〜１５のいずれかに記載の電子カルテの管理方法。
【請求項１７】
複数の会員が接続するネットワーク上に構築され、患者ごとの診療に関するカルテ情報を記憶および管理するための電子カルテの管理方法であって、
前記会員が前記ネットワークを介して入力した前記カルテ情報を含むイメージデータから文字情報よりなるテキストデータを抽出し、このテキストデータから前記患者の個人を特定する情報を削除した内容を統計分析し、すくなくとも疾病ごとの診療に関する診療情報を作成して診療情報データベースに記憶することにより管理を行うことを特徴とする電子カルテの管理方法。
【請求項１８】
前記診療情報は、
少なくとも、疾病ごとの発生動向と患者数、期間ごとの疾病の発生動向と患者数、地域ごとの疾病の発生動向と患者数、のうちのいずれかを含むことを特徴とする請求項１７に記載の電子カルテの管理方法。
【請求項１９】
前記イメージデータは、
ＦＡＸにより送信された前記カルテ情報をデータ変換手段によって前記イメージデータに変換したものであることを特徴とする請求項１３〜１８のいずれかに記載の電子カルテの管理方法。
【請求項２０】
前記ＦＡＸにて送信された前記カルテ情報は、
前記イメージデータに変換された後に該カルテ情報が抹消手段により抹消されることを特徴とする請求項１９に記載の電子カルテの管理方法。
【請求項２１】
前記ネットワークは、インターネットと隔離されたネットワークに構築されていることを特徴とする請求項１３〜２０のいずれかに記載の電子カルテの管理方法。
【請求項２２】
前記課金手段は、前記ネットワーク上で全ての決済が完了することを特徴とする請求項１３〜２１のいずれかに記載の電子カルテの管理方法。
【請求項２３】
前記ネットワークは、
少なくとも前記会員ごとにそれぞれ付与された個人認証のための認証ＩＤもしくはパスワードもしくはその両方によって認証を行う認証手段を備え、この認証手段による認証をもって前記会員が前記ネットワークに接続可能とすることを特徴とする請求項１３〜２２のいずれかに記載の電子カルテの管理方法。
【請求項２４】
前記音声データは、
電話回線を介して入力され、音声データ変換手段により前記テキストデータに変換されることを特徴とする請求項１３〜２３のいずれかに記載の電子カルテの管理方法。
【請求項２５】
複数の会員が接続するネットワーク上に構築され、患者ごとの診療に関するカルテ情報を記憶および管理するための電子カルテの管理プログラムであって、
前記会員が前記ネットワークを介して入力した前記カルテ情報を含むイメージデータおよび／または音声データから文字情報よりなるテキストデータを抽出し、このテキストデータの内容を統計分析し、すくなくとも疾病ごとの処方薬品に関する情報を含むレポートデータを作成し、このテキストデータおよびレポートデータを該会員の会員番号に関連付けして会員情報データベースに記憶し、
前記レポートデータからすくなくとも疾病毎の処方薬品に関するデータを抽出し、前記電子カルテデータに組込み可能なデータ形式に変換して電子カルテ部品データを生成し前記会員が任意に読出し可能な電子カルテ部品データベースに記憶し、
前記電子カルテ部品データを前記電子カルテデータに組み込むために読出して利用した会員に該利用の対価を課金手段によって課金することにより管理を行うことを特徴とする電子カルテの管理プログラム。
【請求項２６】
前記課金手段は、
前記電子カルテ部品データが前記電子カルテ部品データベース読出されたことに応じて、該電子カルテ部品データに関連付けされた前記会員番号に該当する会員に対価を支払うことを特徴とする請求項２５に記載の電子カルテの管理プログラム。
【請求項２７】
前記課金手段は、
前記電子カルテ部品データが新規に前記電子カルテ部品データベースに記憶されたことに応じて、該電子カルテ部品データに関連付けされた前記会員番号に該当する会員に対価を支払うことを特徴とする請求項２５または２６のいずれかに記載の電子カルテの管理プログラム。
【請求項２８】
前記レポートデータは、少なくとも、前記患者の年齢に応じた薬品処方量データ、治療に有効な薬品処方の組合わせデータ、疾病別処方薬品データのうちのいずれかを含むことを特徴とする請求項２５〜２７のいずれかに記載の電子カルテの管理プログラム。
【請求項２９】
複数の会員が接続するネットワーク上に構築され、患者ごとの診療に関するカルテ情報を記憶および管理するための電子カルテの管理プログラムであって、
前記会員が前記ネットワークを介して入力した前記カルテ情報を含むイメージデータから文字情報よりなるテキストデータを抽出し、このテキストデータから前記患者の個人を特定する情報を削除した内容を統計分析し、すくなくとも疾病ごとの診療に関する診療情報を作成して診療情報データベースに記憶することにより管理を行うことを特徴とする電子カルテの管理プログラム。
【請求項３０】
前記診療情報は、
少なくとも、疾病ごとの発生動向と患者数、期間ごとの疾病の発生動向と患者数、地域ごとの疾病の発生動向と患者数、のうちのいずれかを含むことを特徴とする請求項２９に記載の電子カルテの管理プログラム。
【請求項３１】
前記イメージデータは、
ＦＡＸにより送信された前記カルテ情報をデータ変換手段によって前記イメージデータに変換したものであることを特徴とする請求項２５〜３０のいずれかに記載の電子カルテの管理プログラム。
【請求項３２】
前記ＦＡＸにて送信された前記カルテ情報は、
前記イメージデータに変換された後に該カルテ情報が抹消手段により抹消されることを特徴とする請求項３１に記載の電子カルテの管理プログラム。
【請求項３３】
前記ネットワークは、インターネットと隔離されたネットワークに構築されていることを特徴とする請求項２５〜３２のいずれかに記載の電子カルテの管理プログラム。
【請求項３４】
前記課金手段は、前記ネットワーク上で全ての決済が完了することを特徴とする請求項２５〜３３のいずれかに記載の電子カルテの管理プログラム。
【請求項３５】
前記ネットワークは、
少なくとも前記会員ごとにそれぞれ付与された個人認証のための認証ＩＤもしくはパスワードもしくはその両方によって認証を行う認証手段を備え、この認証手段による認証をもって前記会員が前記ネットワークに接続可能とすることを特徴とする請求項２５〜３４のいずれかに記載の電子カルテの管理プログラム。
【請求項３６】
前記音声データは、
電話回線を介して入力され、音声データ変換手段により前記テキストデータに変換されることを特徴とする請求項２５〜３５のいずれかに記載の電子カルテの管理プログラム。
【請求項３７】
前記ネットワーク上に設けられたサーバにインストールして実行可能なことを特徴とする請求項２５〜３６のいずれかに記載の電子カルテの管理プログラム。
【請求項３８】
請求項２５〜３７のいずれかに記載の電子カルテの管理プログラムを記録した記録媒体。
【発明の詳細な説明】
【技術分野】
【０００１】
本発明は、必要な医療情報を利用者間で相互に活用可能な電子カルテの管理システムおよび方法、プログラムおよび記録媒体に関する。
【背景技術】
【０００２】
従来において、医療機関などで活用されている電子カルテシステムには様々な構成を備えたものがあり、医師が診療中に電子カルテシステムを有効に活用できるように様々な工夫が施されている。近年の比較的大きな規模の病院では、患者の人数が大変に多く、患者一人当たりの診療時間は限られている。また、様々な症状の患者が数多く存在し、そういった状況に対して診療に必要な医学知識や、あるいは類似する症例の報告などを参考にして正確な診断を下す必要がある。
【０００３】
電子カルテシステムは、医師の求めに応じて必要な情報を素早く提供するために、システムのハードウェアの電気的な性能向上もさることながら、医師が行う操作にかかる時間を少なくするような技術が開発されている。たとえば、特許文献１に参照されるような電子カルテシステムにおいては、画面上に代表的な操作メニューをアイコンで表示している。医師は、必要に応じてショートカットアイコンを選択するのみで所望する電子カルテデータを呼び出すことができる。
【特許文献１】特開２００３−１２２８４９号公報
【発明の開示】
【発明が解決しようとする課題】
【０００４】
しかしながら、従来のカルテおよび電子カルテシステムにおいては、データをテキスト化するのに手間がかかり、カルテおよび電子カルテシステムのカルテデータに含まれた文字列や数値などをキーワードにしたキーワード検索の実行や、あるいはこれらの文字列や数値などを統計処理するために２次利用することは難しかった。
【０００５】
また、電子カルテシステムに必要とする機能の追加を行うことは容易ではなく、また、電子カルテシステムを提供するベンダーに依頼すると多大な費用や時間が必要となり、使用者の要求に合った電子カルテシステムを構築することは難しかった。
【０００６】
また、電子カルテシステムの医療データを活用した地域診療情報ＤＢを構築することは難しく、医療機関ごとに異なった電子カルテシステムのデータベースから情報収集を行う仕組みを必要とし、さらに患者の個人情報を取除く等の手間が必要になるという問題があった。
【０００７】
本発明は以上のような課題に鑑みてなされたものであり、本発明によれば、ネットワークを介してカルテデータをテキストデータ化してレポート作成でき、膨大なデータから目的のデータを任意に検索でき、作成されたレポートを診療に活用することで効率的な病院経営を行うことが可能となり、
また、疾病ごとに対応する処方薬リストから薬品の在庫管理を行え、一般化されて診療に活用できる医療情報である電子カルテ部品を電子カルテに組み込むことで、日常の診療行為を迅速に行うことが可能となり、
また、疾病別処方薬品セット部品などに特化した電子カルテ部品の提供ができ、地域診療情報ＤＢの情報を提供することで診療に利用可能とし、診療の平均的な質の向上が期待でき、医師の運用形態に沿ったシステムを構築することが可能な電子カルテの管理システムおよび方法、プログラムおよび記録媒体を提供することを目的とする。
【課題を解決するための手段】
【０００８】
請求項１に記載の本発明は、複数の会員が接続するネットワーク上に構築され、患者ごとの診療に関するカルテ情報を記憶および管理するための電子カルテの管理システムであって、前記会員が前記ネットワークを介して入力した前記カルテ情報を含むイメージデータおよび／または音声データから文字情報よりなるテキストデータを抽出し、このテキストデータの内容を統計分析し、すくなくとも疾病ごとの処方薬品に関する情報を含むレポートデータを作成し、このテキストデータおよびレポートデータを該会員の会員番号に関連付けして記憶する会員情報データベースと、前記レポートデータからすくなくとも疾病毎の処方薬品に関するデータを抽出し、前記電子カルテデータに組込み可能なデータ形式に変換して電子カルテ部品データを生成し前記会員が任意に読出し可能に記憶する電子カルテ部品データベースと、前記電子カルテ部品データを前記電子カルテデータに組み込むために読出して利用した会員に該利用の対価を課金する課金手段と、を備える。
【０００９】
また、請求項２に記載の本発明は、請求項１において、前記課金手段は、前記電子カルテ部品データが前記電子カルテ部品データベース読出されたことに応じて、該電子カルテ部品データに関連付けされた前記会員番号に該当する会員に対価を支払う。
【００１０】
また、請求項３に記載の本発明は、請求項１または２のいずれかにおいて、前記課金手段は、前記電子カルテ部品データが新規に前記電子カルテ部品データベースに記憶されたことに応じて、該電子カルテ部品データに関連付けされた前記会員番号に該当する会員に対価を支払う。
【００１１】
また、請求項４に記載の本発明は、請求項１〜３のいずれかにおいて、前記レポートデータは、少なくとも、前記患者の年齢に応じた薬品処方量データ、治療に有効な薬品処方の組合わせデータ、疾病別処方薬品データのうちのいずれかを含む。
【００１２】
また、請求項５に記載の本発明は、複数の会員が接続するネットワーク上に構築され、患者ごとの診療に関するカルテ情報を記憶および管理するための電子カルテの管理システムであって、前記会員が前記ネットワークを介して入力した前記カルテ情報を含むイメージデータから文字情報よりなるテキストデータを抽出し、このテキストデータから前記患者の個人を特定する情報を削除した内容を統計分析し、すくなくとも疾病ごとの診療に関する診療情報を作成して記憶する診療情報データベースと、を備える。
【００１３】
また、請求項６に記載の本発明は、請求項５において、前記診療情報は、少なくとも、疾病ごとの発生動向と患者数、期間ごとの疾病の発生動向と患者数、地域ごとの疾病の発生動向と患者数、のうちのいずれかを含む。
【００１４】
また、請求項７に記載の本発明は、請求項１〜６のいずれかにおいて、前記イメージデータは、ＦＡＸにより送信された前記カルテ情報をデータ変換手段によって前記イメージデータに変換したものである。
【００１５】
また、請求項８に記載の本発明は、請求項７において、前記ＦＡＸにて送信された前記カルテ情報は、前記イメージデータに変換された後に該カルテ情報が抹消手段により抹消される。
【００１６】
また、請求項９に記載の本発明は、請求項１〜８のいずれかにおいて、前記ネットワークは、インターネットと隔離されたネットワークに構築されている。
【００１７】
また、請求項１０に記載の本発明は、請求項１〜９のいずれかにおいて、前記課金手段は、前記ネットワーク上で全ての決済が完了する。
【００１８】
また、請求項１１に記載の本発明は、請求項１〜１０のいずれかにおいて、前記ネットワークは、少なくとも前記会員ごとにそれぞれ付与された個人認証のための認証ＩＤもしくはパスワードもしくはその両方によって認証を行う認証手段を備え、この認証手段による認証をもって前記会員が前記ネットワークに接続可能とする。
【００１９】
また、請求項１２に記載の本発明は、請求項１〜１１のいずれかにおいて、前記音声データは、電話回線を介して入力され、音声データ変換手段により前記テキストデータに変換される。
【００２０】
また、請求項１３に記載の本発明は、複数の会員が接続するネットワーク上に構築され、患者ごとの診療に関するカルテ情報を記憶した電子カルテデータを管理するための電子カルテの管理方法であって、前記会員が前記ネットワークを介して入力した前記カルテ情報を含むイメージデータおよび／または音声データから文字情報よりなるテキストデータを抽出し、このテキストデータの内容を統計分析し、すくなくとも疾病ごとの処方薬品に関する情報を含むレポートデータを作成し、このテキストデータおよびレポートデータを該会員の会員番号に関連付けして会員情報データベースに記憶し、前記レポートデータからすくなくとも疾病毎の処方薬品に関するデータを抽出し、前記電子カルテデータに組込み可能なデータ形式に変換して電子カルテ部品データを生成し前記会員が任意に読出し可能な電子カルテ部品データベースに記憶し、前記電子カルテ部品データを前記電子カルテデータに組み込むために読出して利用した会員に該利用の対価を課金手段によって課金することにより管理を行う。
【００２１】
また、請求項１４に記載の本発明は、請求項１３において、前記課金手段は、前記電子カルテ部品データが前記電子カルテ部品データベース読出されたことに応じて、該電子カルテ部品データに関連付けされた前記会員番号に該当する会員に対価を支払う。
【００２２】
また、請求項１５に記載の本発明は、請求項１３または１４のいずれかにおいて、前記課金手段は、前記電子カルテ部品データが新規に前記電子カルテ部品データベースに記憶されたことに応じて、該電子カルテ部品データに関連付けされた前記会員番号に該当する会員に対価を支払う。
【００２３】
また、請求項１６に記載の本発明は、請求項１３〜１５のいずれかにおいて、前記レポートデータは、少なくとも、前記患者の年齢に応じた薬品処方量データ、治療に有効な薬品処方の組合わせデータ、疾病別処方薬品データのうちのいずれかを含む。
【００２４】
また、請求項１７に記載の本発明は、複数の会員が接続するネットワーク上に構築され、患者ごとの診療に関するカルテ情報を記憶および管理するための電子カルテの管理方法であって、前記会員が前記ネットワークを介して入力した前記カルテ情報を含むイメージデータから文字情報よりなるテキストデータを抽出し、このテキストデータから前記患者の個人を特定する情報を削除した内容を統計分析し、すくなくとも疾病ごとの診療に関する診療情報を作成して診療情報データベースに記憶することにより管理を行う。
【００２５】
また、請求項１８に記載の本発明は、請求項１７において、前記診療情報は、少なくとも、疾病ごとの発生動向と患者数、期間ごとの疾病の発生動向と患者数、地域ごとの疾病の発生動向と患者数、のうちのいずれかを含む。
【００２６】
また、請求項１９に記載の本発明は、請求項１３〜１８のいずれかにおいて、前記イメージデータは、ＦＡＸにより送信された前記カルテ情報をデータ変換手段によって前記イメージデータに変換したものである。
【００２７】
また、請求項２０に記載の本発明は、請求項１９において、前記ＦＡＸにて送信された前記カルテ情報は、前記イメージデータに変換された後に該カルテ情報が抹消手段により抹消される。
【００２８】
また、請求項２１に記載の本発明は、請求項１３〜２０のいずれかにおいて、前記ネットワークは、インターネットと隔離されたネットワークに構築されている。
【００２９】
また、請求項２２に記載の本発明は、請求項１３〜２１のいずれかにおいて、前記課金手段は、前記ネットワーク上で全ての決済が完了する。
【００３０】
また、請求項２３に記載の本発明は、請求項１３〜２２のいずれかにおいて、前記ネットワークは、少なくとも前記会員ごとにそれぞれ付与された個人認証のための認証ＩＤもしくはパスワードもしくはその両方によって認証を行う認証手段を備え、この認証手段による認証をもって前記会員が前記ネットワークに接続可能とする。
【００３１】
また、請求項２４に記載の本発明は、請求項１３〜２３のいずれかにおいて、前記音声データは、電話回線を介して入力され、音声データ変換手段により前記テキストデータに変換される。
【００３２】
また、請求項２５に記載の本発明は、複数の会員が接続するネットワーク上に構築され、患者ごとの診療に関するカルテ情報を記憶および管理するための電子カルテの管理プログラムであって、前記会員が前記ネットワークを介して入力した前記カルテ情報を含むイメージデータおよび／または音声データから文字情報よりなるテキストデータを抽出し、このテキストデータの内容を統計分析し、すくなくとも疾病ごとの処方薬品に関する情報を含むレポートデータを作成し、このテキストデータおよびレポートデータを該会員の会員番号に関連付けして会員情報データベースに記憶し、前記レポートデータからすくなくとも疾病毎の処方薬品に関するデータを抽出し、前記電子カルテデータに組込み可能なデータ形式に変換して電子カルテ部品データを生成し前記会員が任意に読出し可能な電子カルテ部品データベースに記憶し、前記電子カルテ部品データを前記電子カルテデータに組み込むために読出して利用した会員に該利用の対価を課金手段によって課金することにより管理を行う。
【００３３】
また、請求項２６に記載の本発明は、請求項２５において、前記課金手段は、前記電子カルテ部品データが前記電子カルテ部品データベース読出されたことに応じて、該電子カルテ部品データに関連付けされた前記会員番号に該当する会員に対価を支払う。
【００３４】
また、請求項２７に記載の本発明は、請求項２５または２６のいずれかにおいて、前記課金手段は、前記電子カルテ部品データが新規に前記電子カルテ部品データベースに記憶されたことに応じて、該電子カルテ部品データに関連付けされた前記会員番号に該当する会員に対価を支払う。
【００３５】
また、請求項２８に記載の本発明は、請求項２５〜２７のいずれかにおいて、前記レポートデータは、少なくとも、前記患者の年齢に応じた薬品処方量データ、治療に有効な薬品処方の組合わせデータ、疾病別処方薬品データのうちのいずれかを含む。
【００３６】
また、請求項２９に記載の本発明は、複数の会員が接続するネットワーク上に構築され、患者ごとの診療に関するカルテ情報を記憶および管理するための電子カルテの管理プログラムであって、前記会員が前記ネットワークを介して入力した前記カルテ情報を含むイメージデータから文字情報よりなるテキストデータを抽出し、このテキストデータから前記患者の個人を特定する情報を削除した内容を統計分析し、すくなくとも疾病ごとの診療に関する診療情報を作成して診療情報データベースに記憶することにより管理を行う。
【００３７】
また、請求項３０に記載の本発明は、請求項２９において、前記診療情報は、少なくとも、疾病ごとの発生動向と患者数、期間ごとの疾病の発生動向と患者数、地域ごとの疾病の発生動向と患者数、のうちのいずれかを含む。
【００３８】
また、請求項３１に記載の本発明は、請求項２５〜３０のいずれかにおいて、前記イメージデータは、ＦＡＸにより送信された前記カルテ情報をデータ変換手段によって前記イメージデータに変換したものである。
【００３９】
また、請求項３２に記載の本発明は、請求項３１において、前記ＦＡＸにて送信された前記カルテ情報は、前記イメージデータに変換された後に該カルテ情報が抹消手段により抹消される。
【００４０】
また、請求項３３に記載の本発明は、請求項２５〜３２のいずれかにおいて、前記ネットワークは、インターネットと隔離されたネットワークに構築されている。
【００４１】
また、請求項３４に記載の本発明は、請求項２５〜３３のいずれかにおいて、前記課金手段は、前記ネットワーク上で全ての決済が完了する。
【００４２】
また、請求項３５に記載の本発明は、請求項２５〜３４のいずれかにおいて、前記ネットワークは、少なくとも前記会員ごとにそれぞれ付与された個人認証のための認証ＩＤもしくはパスワードもしくはその両方によって認証を行う認証手段を備え、この認証手段による認証をもって前記会員が前記ネットワークに接続可能とする。
【００４３】
また、請求項３６に記載の本発明は、請求項２５〜３５のいずれかにおいて、前記音声データは、電話回線を介して入力され、音声データ変換手段により前記テキストデータに変換される。
【００４４】
また、請求項３７に記載の本発明は、請求項２５〜３６のいずれかにおいて、前記ネットワーク上に設けられたサーバにインストールして実行可能である。
【００４５】
また、請求項３８に記載の本発明は、請求項２５〜３７のいずれかに記載の電子カルテの管理プログラムを記録する。
【発明の効果】
【００４６】
本発明によれば、ネットワークを介してカルテデータをテキストデータ化してレポート作成でき、膨大なデータから目的のデータを任意に検索でき、作成されたレポートを診療に活用することで効率的な病院経営を行うことが可能となり、
また、疾病ごとに対応する処方薬リストから薬品の在庫管理を行え、一般化されて診療に活用可能な医療情報である電子カルテ部品を電子カルテに組み込むことで、日常の診療行為を迅速に行うことが可能となり、
また、疾病別処方薬品セット部品などに特化した電子カルテ部品の提供ができ、地域診療情報ＤＢの情報を提供することで診療に利用可能とし、診療の平均的な質の向上を提供し、医師の運用形態に沿ったシステムを構築することが可能な電子カルテの管理システムおよび方法、プログラムおよび記録媒体を提供することができる。
【発明を実施するための最良の形態】
【００４７】
図１に示すのは、本発明の電子カルテの管理システムおよび方法、プログラムおよび記録媒体に係る実施の形態を説明するためのシステム構成を説明するための構成図である。この実施の形態では、電子カルテシステムを利用するために個人情報を申請した会員（主に、医療関係従事者である医師、歯科医師、薬剤師、医療事務員、健保組合、研究機関、公共機関などが対象）が入会している会員限定ポータルサイト１と、会員が電子カルテシステムを利用するために用いるパーソナルコンピュータなどの情報端末２と、電子カルテを利用する会員を個人識別するために各人にそれぞれ付与された会員番号３と、外部のインターネットなどのネットワークシステムと接続せずに電子カルテを利用する会員だけに限定して安全性（セキュア）を確保して接続可能とした会員限定セキュアネットワーク４と、会員が入力した電子カルテ情報を統計・分析して体系的にまとめてデータベースとして管理するための医学知識情報管理システム５と、会員から会員限定ポータルサイト１へ送信された様々な情報を分析するための情報分析システム６と、会員が会員限定ポータルサイト１へアクセスする際に会員番号３とパスワードでもって個人認証を行う認証サーバ７と、入会している会員の個人情報や登録している電子カルテデータや情報提供サービスなどを受けた場合の課金状況などを記憶する会員情報ＤＢ（データベース）８と、電子カルテデータがＦＡＸやコピーなどで持ち込まれた場合の紙カルテ９と、会員から会員限定セキュアネットワーク４を介して送られてくる電子カルテデータの元となる医療情報などのイメージファイル１０と、イメージファイル１０や紙カルテ９から抽出されて文字（テキスト）情報とされたテキストデータ１１と、テキストデータ１１に基づいて作成されたレポート１２と、紙カルテ９を利用した後に不要となった紙カルテ９の情報漏洩を防止するための処分手段としての溶解サービス１３と、が示されている。
【００４８】
このような会員限定ポータルサイト１において、会員が所有するカルテデータをポータルサイトへ送信して、電子カルテデータを作成し登録する流れを説明する。会員は会員番号３予め付与されたパスワードを認証サーバ７が情報端末２に送信したログイン画面に入力する。このログイン画面では「会員番号」と「パスワード」を入力するための入力待ち画面を表示している。図１中（１）参照。
【００４９】
ログイン画面に会員番号３とパスワードを入力し、この入力した会員番号３とパスワードが、予め会員情報ＤＢ８に記憶されている会員個人ごとの会員番号およびパスワードと一致すると、会員であることが認証される。この認証サーバ７の認証を受けて会員限定ポータルサイト１への接続が確立される。この接続が確立された後に、情報端末からイメージファイル１０に会員番号３が関連付けされて共に会員限定セキュアネットワーク４を介して会員限定ポータルサイト１へ送信される。図１中（２）参照。
【００５０】
会員限定ポータルサイト１では、イメージファイル１０を情報分析システム６にて情報分析を行う。図１中（３）参照。なお、イメージファイル１０は会員限定セキュアネットワーク１を介して会員限定ポータルサイト１へ電子データとして送信されるが、こうした電子データの送信による方法以外でのデータ送信をしてもよい。たとえば、会員からＦＡＸや郵送、メール、他の電子カルテシステムからのデータ送信、会員限定ポータルサイト内での会員相互の通信等の方法がある。こうした様々な方法で送られた会員からのデータは、情報分析システム６にてイメージファイルとしてスキャナなどを介して電子データに変換されて読み込まれる。また、他のプロトコルに則った電子データである場合は、デコードがなされる。なお、会員から紙などに印刷されたコピーなどの形態で送られてきたデータは、情報分析システム６にて分析された後に、機密漏洩防止のために溶解サービス１３の処理が実行される。この溶解サービス１３は、紙に印刷された紙データが外部に漏洩することを防止するために実施される。紙を薬品などで溶解してしまい、完全にデータを抹消することができる。
【００５１】
こうして、情報分析システム６にて分析されたデータは、テキストデータ１１として作成される。このテキストデータ１１は、会員から送られてきたデータの内容をテキストデータにしたものである。このテキストデータ１１から医療情報などを目的に応じて抽出して、レポート１２を作成する。こうした作業は医学知識管理情報システム５にて実行されている。作成されたレポート１２やテキストデータ１１などは会員情報ＤＢ８に記憶されている。図１中（４）参照。こうした過程により、会員であるユーザからポータルサイトである会員限定ポータルサイトへのカルテデータ（会員から送られるデータ）の送信および登録が完了する。
【００５２】
次に、テキストデータ１１、レポート１２の電子カルテシステムへの組込みの流れを説明する。会員は情報端末２で会員限定ポータルサイト１へアクセスして、電子カルテシステムへのログイン画面を開く。図１中（５）参照。この電子カルテシステムのログイン画面では、会員の会員番号とパスワードの入力が求められる。この画面による認証は、認証サーバ７にて実行される。認証サーバ７は会員情報ＤＢ８と連係して、入力された会員番号とパスワードが正しい場合に認証を行う。
【００５３】
認証サーバ７での認証を得られると、医学知識情報管理システム５に接続して、この医学知識情報管理システム５に記憶されたテキストデータ１１とレポート１２へのアクセスが許可される。このとき、会員の情報端末２には電子カルテシステム起動時の初期画面が表示されている。図１中（６）参照。会員が送ったデータに基づいて作成されたテキストデータ１１とレポート１２は、電子カルテシステム起動時の初期画面に参照もしくは登録可能に表示される。会員は電子カルテデータに登録したいテキストデータ１１やレポート１２がある場合、登録を選択することにより、該当するテキストデータ１１もしくはレポート１２が電子カルテデータに登録される。図１中（７）参照。
【００５４】
図２に示すのは、本発明の実施の形態の電子カルテシステムにレポート１２を電子カルテ部品として部品化する流れを説明するための構成図である。なお、電子カルテ部品とは、患者の年齢に応じた薬品の処方量や、ある疾病に有効な医薬品の組合わせなどの、医師による診察や治療を支援するための医学知識や情報を電子カルテに組み込める形にしたものを指している。
【００５５】
会員が情報端末２から会員限定ポータルサイト１へアクセスすると、情報端末２の画面にはログイン画面が表示される。図２中（１）参照。このログイン画面にて、会員は自分の会員番号３とパスワードを入力する。この入力を受けて認証サーバ７は会員本人であるか否かを認証する。認証後に電子カルテ部品発注状況画面が表示される。図２中（２）参照。この画面には会員が既に作成したレポート１２の見出しを表示しており、会員は電子カルテ部品に登録したいレポート１２を画面から選択する。選択したレポート１２について、医学知識情報管理システム５ではレポート１２を電子カルテ部品１６へデータ変換する。図２中（４）参照。電子カルテ部品１６が生成されると同時に、課金ＤＢ（データベース）１５に課金情報が登録され、会員へ課金が実行される。この課金は会員の会費や金融機関口座などから自動的に引き落とされてもよく、あるいは会員に一定のポイントを与え、そのポイントから引き去る処理を行っても良い。
【００５６】
次に、作成した電子カルテ部品１６を電子カルテへ組み込む場合は、情報端末２から会員限定ポータルサイト１へアクセスして、認証サーバ７で認証を受けた後に電子カルテシステム起動時初期画面が表示される。図２中（６）参照。ここで、電子カルテシステムへの電子カルテ部品１６を登録することを選択することにより、電子カルテシステムへの登録が完了する。図２中（７）参照。
【００５７】
次に、図３を参照して、電子カルテ部品の他の会員への公開と、電子カルテ部品の購入と、電子カルテ部品の電子カルテシステムへの組込みについて説明する。電子カルテ部品を他の会員へ公開するために、まず会員の情報端末２から会員限定ポータルサイト１へアクセスし、認証サーバ７にて認証を受ける。図３中（１）参照。認証が完了すると、情報端末２の画面には電子カルテ部品公開状況画面が表示される。この画面には電子カルテ部品１６ごとに公開が可能か否かの状況などが表示されている。図３中（２）参照。会員はその画面を見て、公開したい電子カルテ部品１６の項目を選択することで、電子カルテ部品１６が他の会員へ公開される。
【００５８】
公開された電子カルテ部品は、他の会員が購入可能となる。他の会員が自己の情報端末２１にて会員限定ポータルサイト１へアクセスし、自分の会員番号２０とパスワードを入力すると電子カルテ部品一覧画面が表示される。図３中（３）参照。この画面に表示された電子カルテ部品の一覧の中から所望する電子カルテ部品を画面上で選択する。この選択を受けて、課金ＤＢ１５では会員番号２０に該当する会員へ課金を行う。この課金が行われた後に、選択された電子カルテ部品１６は、会員番号２０の会員の電子カルテへ組み込まれ、一連の処理が完了する。
【００５９】
次に、図４を参照して、地域診療ＤＢ（データベース）の構築について説明する。会員限定ポータルサイト１では、医学知識情報管理システム５に記憶されたテキストデータ１１に基づいて、このテキストデータ１１から患者個人に関する名前や住所などの情報を削除して、新たなテキストデータを作成する。図４中（１−１）参照。このテキストデータの内容に基づいて統計分析が行われ、診療情報２５として地域診療ＤＢ２４に記憶される。図４中（１−２）参照。
【００６０】
また、会員が診療情報２５を地域診療ＤＢ２４へ登録するには、会員が情報端末２７にて会員限定ポータルサイト１へアクセスすると、認証サーバ７にて認証を受けるためのログイン画面が表示され、この画面にて会員番号２３とパスワードを入力して認証が完了する。図４中（２−１）参照。次に、情報端末２７にテキストデータ選択画面が表示される。図４中（２−２）参照。ここで、登録の目的とするテキストデータを画面上で選択すると、登録画面が情報端末２７に画面表示される。図４中（２−３）参照。ここで表示されたテキストデータから患者のプライバシーに係る個人情報を除いて入力フィールドにテキストデータを移し、登録を実行する。図４中（２−４）。登録実行において、会員限定ポータルサイト１では統計分析が実行され、その後に地域診療ＤＢ２４に診療情報２５として登録される。図４中（２−５）、（２−６）参照。こうして登録された診療情報は、閲覧を望む会員が会員番号２２とパスワードを情報端末２６に入力して認証された後、情報端末２６の画面上で閲覧することができる。例えば、地域診療情報画面として表示され、週別患者報告数や月別患者報告数などの統計分析データを入手することができる。
【００６１】
次に、図５を参照して本発明の実施の形態によるデータの流れを説明する。ここで、（イ）は「会費納入（毎月）」、（ロ）は「カルテデータ送信」、（ハ）は「テキストデータ、レポートの取込」、（ニ）は「電子カルテ部品化依頼と部品の公開（後からの公開も可）、（ホ）は「電子カルテ部品の取込」、（ヘ）は「電子カルテ部品の購入」、（ト）は「電子カルテ部品のダウンロード」、（チ）は「電子カルテ部品代金の支払い」、（リ）は「電子カルテ部品販売額に応じた利潤配分」、（ヌ）は「地域診療情報の登録」、（ル）は「地域診療情報の収集」、（ヲ）は「カルテ溶解サービスの利用」である。
【００６２】
会員である診療所・医師３０、３１は毎月の会費を会員限定ポータルサイト１へ納入している（イ）。診療所・医師３０は会員限定ポータルサイト１へカルテデータの送信を行う。このカルテデータはテキストデータ１１に変換されて記憶される（ロ）。会員限定ポータルサイト１に記憶されたテキストデータ１１やレポート１２を診療所・医師３０が利用するためにテキストデータ１１やレポート１２の取り込みを行う（ハ）。診療所・医師３０からの電子カルテ部品化の依頼と電子カルテ部品の公開が行われる（ニ）。電子カルテ部品１６が作成され、この電子カルテ部品１６の診療所・医師３０側への取込が行われる（ホ）。取り込んだ電子カルテ部品１６の代金の支払いが行われる（チ）。
【００６３】
一方、電子カルテ部品１６を購入するために他の会員である診療所・医師３１が電子カルテ部品１６の購入を会員限定ポータルサイト１に対して支払いを行い実行する（ヘ）。電子カルテ部品１６が診療所・医師３１へ提供される（ト）。診療所・医師３１へ電子カルテ部品１６が販売されたことによる利益は、電子カルテ部品１６の提供元となった診療所・医師３０へ報酬として支払われる（リ）。
【００６４】
また、会員である診療所・医師３０、３１は、地域診療情報２５をテキストデータ１１から作成して会員限定ポータルサイト１へ送信し登録する（ヌ）。診療所・医師３０、３１は必要に応じて会員限定ポータルサイト１へ地域診療情報２５を収集するためにアクセスする（ル）。なお、診療所・医師３０、３１から会員限定ポータルサイト１へ送られたデータのうち、秘匿する必要のある紙データなどのカルテデータは、カルテ溶解サービス１３により、解読不能に溶解されて完全に抹消される（ヲ）。
【００６５】
図６に示すのは、レポート１２と電子カルテ部品１６の一例を説明するための図である。レポート１２は、情報端末２、２１、２６、２７に表示される。このレポート１６においては、疾病別処方薬品３３と疾病別処方薬品セット３４とが示されている。こうしたレポート１６の内容は、テキストデータ１１の内容を統計分析することにより作成され、疾病毎に頻繁に投与された処方薬や処方薬セットのリストなどをレポート１６として作成している。このレポート１６はＸＭＬ（ｅＸｔｅｎｓｉｂｌｅ  Ｍａｒｋｕｐ  Ｌａｎｇｕａｇｅ）により構造化文書化されており、ＸＳＬＴ（ＸＳＬ  Ｔｒａｎｓｆｏｒｍａｔｉｏｎｓ）で変換して表示することが可能である。
【００６６】
また、電子カルテ部品１６には、セット処方３５が示され、このセット処方３５はＸＭＬ形式３２により作成されている。この電子カルテ部品１６は、レポート１２の内容を元に、医師の診療形態を反映し作成したものであり、任意にダウンロードして電子カルテに組み込むことが可能である。電子カルテ部品１６はＸＭＬにより構造化文書化されており、ＸＳＬＴで変換して利用することが可能である。
【００６７】
図７は、電子カルテシステムの画面構成例であり、情報端末画面４０に受付リスト画面４１と、過去カルテ画面４２と、カルテ画面４３が同時に表示されている。図８は、カルテ画面４３をマウスなどを使って指示した場合の画面表示を示している。このカルテ画面４３においては、診療毎の新規カルテ画面の例を示している。図９に示すのは、図８に示した患者の過去カルテ画面４２の例を示している。この過去カルテ画面４２においては、この患者に関して過去の診療記録が時系列でまとめてあり、医師の必要に応じて過去の診療記録を見ることができる。図１０は、受付リスト画面４１の例であり、一人の担当医が受持っている患者の名前がリストで表示される。このリストは病院が診療を受け付けた患者の名前や時刻、患者番号、状態などを表示している。
【００６８】
図１１は、会員限定ポータルサイト１へアクセスした場合に、最初に表示されるログイン画面４５である。このログイン画面４５は認証サーバ７により生成され表示される。認証サーバ７は、会員の会員番号であるユーザＩＤ４６と、会員に割り振られたパスワード４７とを要求している。ここに会員は自己の会員番号とパスワードをそれぞれ入力し、利用開始ボタン４８をマウスでクリックすると、認証が行われる。
【００６９】
図１２は、会員限定ポータルサイト１へイメージデータ１０を会員が送信する場合に表示されるイメージファイル送信画面５２である。この画面の表示に従ってイメージファイル名（ＵＲＬなど）をロケーション入力欄４９に入力し、送信ボタン５１を選択することでイメージデータ（ファイル）１０が送信される。なお、参照ボタン５０を選択すると、情報表示端末２などに接続された記憶媒体に記憶された内容を選択可能に表示させることができる。
【００７０】
図１３は、電子カルテシステムへのログイン画面５３である。このログイン画面５３には、会員番号であるユーザＩＤを入力するユーザＩＤ入力欄５４と、会員個別にそれぞれ割り当てられたパスワード入力欄５５とが表示されている。これらの欄へ会員番号とパスワードを所定に入力し、利用開始ボタン５６をマウスなどで画面上で選択すると、電子カルテシステムへのログインが許可される。
【００７１】
図１４は、電子カルテシステム初期画面６０の例を示している。この電子カルテシステム初期画面６０には、担当医が診療を受持つ患者の受付リスト６２が表示され、レポート表示ボタン６１を選択することでレポート１２が表示される。また、この電子カルテに組み込み可能な電子カルテ部品の一覧も表示され、テキストデータ、レポート、電子カルテ部品などを任意に選択するためのチェックボックス６４が表示されている。このチェックボックス６４にチェックした後に、登録ボタン６３を選択することで、電子カルテへの組込みが実行される。
【００７２】
図１５は、テキストデータ表示６５の例を示す。ここでは、過去カルテのイメージファイルの内容がテキストデータに置き換えられて表示されている。この過去カルテは、表示された過去の年月日のうちから任意の選択により表示させることが可能であり、医師が診察や診断を下す場合に有効な医療情報となる。
【００７３】
図１６は、レポート一覧画面７０を示しており、レポート表示ボタン７３をマウスでクリックして選択する。この選択を受けて画面には、レポート一覧画面の選択画面６７が表示される。この選択画面６７にはレポート一覧を表示可能な日付が表示されており、この日付を選択ボタン６８にて選択し、表示ボタン６９をマウスでクリックして選択することにより、レポートが表示される。
【００７４】
図１７は、レポート表示画面７１にレポート７２が表示されている例である。レポート７２の内容として、疾病別処方薬品が表示されている。
【００７５】
図１８は、電子カルテ部品の作成依頼画面７４の例を示している。この作成依頼画面７４には電子カルテ部品を作成可能なレポートが内容と共に複数表示されている。この複数表示の中から部品化を望む表示部分に選択チェックを行い、登録ボタン７６を選択し登録を実行することができる。
【００７６】
図１９は、電子カルテ部品が組み込まれた電子カルテ画面の例を示している。電子カルテ画面８０には、電子カルテ部品８１が複数組み込まれて表示されている。
【００７７】
図２０は、会員限定ポータルサイト１における電子カルテ部品の公開画面の例を示している。会員の所有する電子カルテ部品について、他の会員へ公開されているか否かが状況表示されている。この状況表示は公開／非公開一覧表８３にて表示されており、「公開」の表示になっている部品について、他の会員がどのくらいの数量を購入したかが数字で表示されている。会員が自分の所有する電子カルテ部品を「公開」にしたい場合は、公開指定欄にチェックを入力して、登録ボタン８４を選択することにより、他の会員へ公開が実行される。
【００７８】
図２１は、会員限定ポータルサイト１にアクセスして表示される購入可能な電子カルテ部品の一覧表示画面の例である。この電子カルテ部品一覧表示８６には、その電子カルテ部品を提供する医師の名前、提供開始日、今まで売れた数（購入数）、購入した他会員のコメントなどが表示されている。この画面を見て、会員は購入したい電子カルテ部品を画面上で選択し、購入ボタン８７をマウスでクリックして選択することにより、購入が実行される。
【００７９】
図２２は、会員限定ポータルサイト１へテキストデータを登録する際のテキストデータ選択画面９０の例を示している。この画面上には、会員が登録したいテキストデータを複数の中から任意に選択できるように選択ボタン９１が表示されている。会員は登録したいテキストデータを選択ボタン９１にチェックすることで選択し、表示ボタン９２をマウスでクリックすることで、登録したいテキストデータが画面に表示される。
【００８０】
図２３は、会員限定ポータルサイト１において、テキストデータを登録するための登録画面９３である。この画面においてテキストデータの内容表示９５がなされている。内容表示９５には、病名や症状、処方などの医療データをテキストで入力することができる。
【００８１】
図２４は、会員限定ポータルサイト１における地域診療情報の表示選択画面１００の例を示している。この表示選択画面１００においては、週別患者数や月別患者数などに分類して、それぞれの内容で個別の統計分析したデータを任意に選択可能にされている。この選択は、分類項目表示１０１の文字を直接にマウスでクリックして選択することにより、それぞれの内容を表示させて閲覧することが可能になる。
【００８２】
図２５は、図２４にて説明した分類項目表示１０１のうち、「２００２年第１２週のデータ・発生動向調査・患者数データ」を選択することにより表示されたデータ表示１０２の例である。このデータ表示１０２においては、２００２年第１２週の週間患者報告数が表示されており、このデータに関するコメントや発生動向のグラフ、疾病名が表示されている。
【００８３】
図２６は、会員が会員限定ポータルサイト１へカルテデータを送信する場合のフロー図１０３である。このフロー図１０３において、会員が会員限定ポータルサイト１へアクセスし、認証されてポータルサイトへログインする（ステップＳ１）。次に、イメージファイル送信画面が表示される（ステップＳ２）。送信するイメージファイルが存在するか否かの判断が行われ（ステップＳ３）「ｎｏ」ならば終了する（ステップＳ８）。「ｙｅｓ」ならば、イメージファイルを選択する（ステップＳ４）。イメージファイルを選択した後に送信ボタンを押す（ステップＳ５）。カルテデータのテキストデータ化が行われる（ステップＳ６）。次に、レポート作成が行われる（ステップＳ７）。
【００８４】
図２７は、電子カルテシステムへのテキストデータやレポートの組込みのためのフロー図１０４を示す。会員が会員限定ポータルサイト１へアクセスすると、電子カルテシステムのログイン画面が表示される。ここで認証のための会員番号（会員ＩＤ）とパスワードを入力し認証を得る（ステップＳ１０）。次に、電子カルテシステムの初期画面が表示される（ステップＳ１１）。次に、登録したいテキストデータ、レポートが存在するか否かの判断がされる（ステップＳ１２）。ここで「ｎｏ」と判断されるとその後のステップに進むことなく終了する（ステップＳ２０）。「ｙｅｓ」が選択されるとテキストデータ、レポートの選択画面が表示され、ここでテキストデータ、レポートを選択する（ステップＳ１３）。次に、登録ボタンを押して登録が実行される（ステップＳ１４）。次に、電子カルテシステムへのテキストデータ、レポートの組込みが実行される（ステップＳ１５）。テキストデータは過去カルテ画面に表示される（ステップＳ１６）。一方、レポートは、レポート一覧画面表示に表示され（ステップＳ１７）、この表示画面上で閲覧したいレポートを選択すると（ステップＳ１８）、選択したレポートが表示される（ステップＳ１９）。
【００８５】
図２８は、レポートの電子カルテ部品化およびその流通に関する部品化のフロー図１０５である。会員が会員限定ポータルサイト１へアクセスし、認証を得てログインする（ステップＳ３０）。次に、電子カルテ部品の作成依頼画面表示がされる（ステップＳ３１）。次に、電子カルテ部品を作成したいレポートが存在するか否かが判断される（ステップＳ３２）。この判断で「ｎｏ」ならば処理は停止して終了する（ステップＳ３６）。「ｙｅｓ」と判断された場合は、部品化したいレポートを選択し（ステップＳ３３）、登録ボタンを押して登録を実行する（ステップＳ３４）。次に、選択したレポートの電子カルテ部品化が完了する（ステップＳ３５）。
【００８６】
図２９は、レポートの電子カルテ部品化およびその流通に関する部品化のフロー図１０６である。会員が会員限定ポータルサイト１の電子カルテシステムに認証されてログインする（ステップＳ４０）。次に、初期画面が表示される（ステップＳ４１）。登録したい電子カルテ部品が存在するか否かが判断される（ステップＳ４２）。「ｎｏ」の場合、処理はここで終了する（ステップＳ４７）。「ｙｅｓ」の場合、電子カルテ部品を選択し（ステップＳ４３）、登録ボタンを押す（ステップＳ４４）。次に、電子カルテシステムへの電子カルテ部品の組込みが実行される（ステップＳ４５）。この後、電子カルテ画面が表示される（ステップＳ４６）。
【００８７】
図３０は、電子カルテ部品を会員が他の会員に公開するための電子カルテ部品の公開のフロー図１０７を示している。会員が会員限定ポータルサイト１に認証されてログインする（ステップＳ５０）。次に、電子カルテ部品の公開画面表示がされる（ステップＳ５１）。次に、公開したい電子カルテ部品が存在するか否かが判断される（ステップＳ５２）。ここで「ｎｏ」と判断されると処理はここで終了する（ステップＳ５５）。一方、「ｙｅｓ」と判断されると電子カルテ部品を選択し（ステップＳ５３）、登録ボタンを押すことで登録が完了する（ステップＳ５４）。
【００８８】
図３１は、会員による電子カルテ部品の購入のフロー図１０８を示している。会員が会員限定ポータルサイト１にアクセスして認証を受けてログインする（ステップＳ６０）。次に、電子カルテ部品の一覧画面が表示される（ステップＳ６１）。次に、購入したい電子カルテ部品が存在するか否かが判断される（ステップＳ６２）。ここで「ｎｏ」である場合は、処理がここで終了する（ステップＳ６５）。一方、「ｙｅｓ」である場合は電子カルテ部品を選択し（ステップＳ６４）、購入ボタンを押して購入が実行される（ステップＳ６４）。
【００８９】
図３２は、会員による会員限定ポータルサイト１への地域診療情報の登録のフロー図１０９である。会員が会員限定ポータルサイト１へ認証されてログインする（ステップＳ７０）。次に、テキストデータ選択画面表示がされる（ステップＳ７１）。次に、登録したいテキストデータが存在するか否かが判断される（ステップＳ７２）。ここで「ｎｏ」が判断されると全ての処理はここで終了する（ステップＳ７７）。一方、「ｙｅｓ」が判断されるとテキストデータの選択がされ（ステップＳ７３）、登録画面が表示される（ステップＳ７４）。次に、入力フィールド（欄）へ情報を入力し（ステップＳ７５）、登録ボタンを押して地域診療情報ＤＢへ登録する（ステップＳ７７）。
【００９０】
図３３は、会員による地域診療情報の閲覧のフロー図１１０である。会員が会員限定ポータルサイト１にアクセスして認証されてログインする（ステップＳ８０）。次に、地域診療情報画面表示がされる（ステップＳ８１）。次に、閲覧したい地域、診療情報が存在するか否かが判断される（ステップＳ８２）。ここで、「ｎｏ」と判断されると、全ての処理は終了する（ステップＳ８５）。一方、「ｙｅｓ」と判断されると地域診療情報を選択して（ステップＳ８３）、選択された地域診療情報が表示される（Ｓ８４）
図３４に示すのは、本発明の電子カルテの管理システムおよび方法、プログラムおよび記録媒体に係る別の実施の形態によるシステム構成を説明するための構成図である。この実施の形態では、電子カルテシステムを利用するために個人情報を申請した会員（主に、医療関係従事者である医師、歯科医師、薬剤師、医療事務員、健保組合、研究機関、公共機関などが対象）が入会している会員限定ポータルサイト１と、会員が電子カルテシステムを利用するために用いるパーソナルコンピュータなどの情報端末２と、電子カルテを利用する会員を個人識別するために各人にそれぞれ付与された会員番号３と、外部のインターネットなどのネットワークシステムと接続せずに電子カルテを利用する会員だけに限定して安全性（セキュア）を確保して接続可能とした会員限定セキュアネットワーク４と、会員が入力した電子カルテ情報を統計・分析して体系的にまとめてデータベースとして管理するための医学知識情報管理システム５と、会員から会員限定ポータルサイト１へ送信された様々な情報を分析するための情報分析システム６と、会員が会員限定ポータルサイト１へアクセスする際に会員番号３とパスワードでもって個人認証を行う認証サーバ７と、入会している会員の個人情報や登録している電子カルテデータや情報提供サービスなどを受けた場合の課金状況などを記憶する会員情報ＤＢ（データベース）８と、電子カルテデータがＦＡＸやコピーなどで持ち込まれた場合の紙カルテ９と、会員から会員限定セキュアネットワーク４を介して送られてくる電子カルテデータの元となる医療情報などのイメージファイル１０と、イメージファイル１０や紙カルテ９から抽出されて文字（テキスト）情報とされたテキストデータ１１と、テキストデータ１１に基づいて作成されたレポート１２と、紙カルテ９を利用した後に不要となった紙カルテ９の情報漏洩を防止するための処分手段としての溶解サービス１３と、会員が音声で医療情報を会員限定ポータルサイト１へ伝えるために用いられる電話機１２０と、電話機１２０からの音声による医療情報の入力を受話して録音するための録音装置１２１と、この録音装置１２１に録音された医療情報を含む音声をデジタルデータに変換して作成された音声データ１２２と、が示されている。
【００９１】
このような会員限定ポータルサイト１において、会員が所有するカルテデータをポータルサイトへ送信して、電子カルテデータを作成し登録する流れを説明する。会員は会員番号３予め付与されたパスワードを認証サーバ７が情報端末２に送信したログイン画面に入力する。このログイン画面では「会員番号」と「パスワード」を入力するための入力待ち画面を表示している。図３４中（１）参照。
【００９２】
ログイン画面に会員番号３とパスワードを入力し、この入力した会員番号３とパスワードが、予め会員情報ＤＢ８に記憶されている会員個人ごとの会員番号およびパスワードと一致すると、会員であることが認証される。この認証サーバ７の認証を受けて会員限定ポータルサイト１への接続が確立される。この接続が確立された後に、情報端末からイメージファイル１０に会員番号３が関連付けされて共に会員限定セキュアネットワーク４を介して会員限定ポータルサイト１へ送信される。図３４中（２）参照。
【００９３】
あるいは、端末２でイメージファイル１０を送信することに代えて、電話機１２０にて会員が会員限定ポータルサイト１へ電話をかけて、この通話を介して医療情報を伝達することもできる。この方法では、電話機１２０と会員限定ポータルサイト１に備わる録音装置１２１との間で接続され、受話音声が録音され、音声データ１２２として出力する。なお、会員であることの個人認証は、暗証番号を電話機１２０に入力することにより実施される。
【００９４】
また、情報端末２に、イメージファイル１０以外に音声データ１２２を記憶しておき、この音声データ１２２をイメージファイル１０の送信と同様に送信しても良い。
【００９５】
会員限定ポータルサイト１では、イメージファイル１０あるいは音声データ１２２を情報分析システム６にて情報分析を行う。図３４中（３）参照。なお、イメージファイル１０は会員限定セキュアネットワーク１を介して会員限定ポータルサイト１へ電子データとして送信されるが、こうした電子データの送信による方法以外でのデータ送信をしてもよい。たとえば、会員からＦＡＸや郵送、メール、他の電子カルテシステムからのデータ送信、会員限定ポータルサイト内での会員相互の通信等の方法がある。こうした様々な方法で送られた会員からのデータは、情報分析システム６にてイメージファイルとしてスキャナなどを介して電子データに変換されて読み込まれる。また、他のプロトコルに則った電子データである場合は、デコードがなされる。なお、会員から紙などに印刷されたコピーなどの形態で送られてきたデータは、情報分析システム６にて分析された後に、機密漏洩防止のために溶解サービス１３の処理が実行される。この溶解サービス１３は、紙に印刷された紙データが外部に漏洩することを防止するために実施される。紙を薬品などで溶解してしまい、完全にデータを抹消することができる。
【００９６】
こうして、情報分析システム６にて分析されたデータは、テキストデータ１１として作成される。このテキストデータ１１は、会員から送られてきたデータの内容をテキストデータにしたものである。このテキストデータ１１から医療情報などを目的に応じて抽出して、レポート１２を作成する。こうした作業は医学知識管理情報システム５にて実行されている。作成されたレポート１２やテキストデータ１１などは会員情報ＤＢ８に記憶されている。図３４中（４）参照。こうした過程により、会員であるユーザからポータルサイトである会員限定ポータルサイトへのカルテデータ（会員から送られるデータ）の送信および登録が完了する。
【００９７】
次に、テキストデータ１１、レポート１２の電子カルテシステムへの組込みの流れを説明する。会員は情報端末２で会員限定ポータルサイト１へアクセスして、電子カルテシステムへのログイン画面を開く。図３４中（５）参照。この電子カルテシステムのログイン画面では、会員の会員番号とパスワードの入力が求められる。この画面による認証は、認証サーバ７にて実行される。認証サーバ７は会員情報ＤＢ８と連係して、入力された会員番号とパスワードが正しい場合に認証を行う。
【００９８】
認証サーバ７での認証を得られると、医学知識情報管理システム５に接続して、この医学知識情報管理システム５に記憶されたテキストデータ１１とレポート１２へのアクセスが許可される。このとき、会員の情報端末２には電子カルテシステム起動時の初期画面が表示されている。図３４中（６）参照。会員が送ったデータに基づいて作成されたテキストデータ１１とレポート１２は、電子カルテシステム起動時の初期画面に参照もしくは登録可能に表示される。会員は電子カルテデータに登録したいテキストデータ１１やレポート１２がある場合、登録を選択することにより、該当するテキストデータ１１もしくはレポート１２が電子カルテデータに登録される。図３４中（７）参照。
【００９９】
図３５に示すのは、図３４にて示した情報端末２に表示される会員限定ポータルサイト１へアクセスし、認証を受けた後に表示されるデータ送信画面１２３の一例である。このデータ送信画面１２３には、ファイルロケーション入力欄１２４，１２５と、参照ボタン１２６と、選択したファイルを送信するための送信ボタン１２７とが示されている。会員は情報端末２に表示されたデータ送信画面１２３を見て、自分が送るファイルのファイルロケーションをファイルロケーション入力欄１２４、１２５に入力する。送信するファイルが音声データ１２２である場合は、ファイルロケーション入力欄１２５に入力し、イメージデータ１０である場合はファイルロケーション入力欄１２４に入力する。それぞれの入力が完了した後に送信ボタン１２７を押す（マウスで画面上で選択してクリックする）と、ファイルの送信が実行される。なお、参照ボタン１２６を押すと、イメージデータ１０もしくは音声データ１２２の記憶されている場所を示す画面が表示される。
【０１００】
図３６に示すのは、カルテデータを含むイメージデータ１０もしくは音声データ１２２を会員限定ポータルサイト１へ送信する際の処理フロー図１３０である。ステップＳ９０にて会員限定ポータルサイト１へアクセスして、会員が認証を受ける。認証後に、ステップＳ９１にてカルテデータの送信画面が表示される、なお、この表示画面は、たとえば図３５に示すようなデータ送信画面１２３である。次に、ステップＳ９２において送信するデータが音声データ１２２（音声ファイル）であるか否かが判断される。ステップＳ９９にて音声データ１２２であることが判断されると（ＹＥＳ）、ステップＳ１００にて音声データ１２２を会員が選択する。選択した後にステップＳ１０１にて送信ボタン１２７を押す。ステップＳ１０２にて受信した音声データ１２２に基づいて音声解析がなされ、必要な医療関係情報が抽出されてテキストデータ１１に変換される。ステップＳ１０３にて、テキストデータ１１からレポート（レポートデータ）１２が作成されて、終了する（ステップＳ１０４）。なお終了はステップＳ９９にて音声データ１２２でないことが判断された場合もステップＳ１０４へジャンプして実行される。
【０１０１】
一方、ステップＳ９２にて、送信するファイルがイメージデータ１０である場合は（ＮＯ）、ステップＳ９３にてイメージデータ１０であることが判断されると（ＹＥＳ）、ステップＳ９４にてイメージデータ１０を会員が選択する。選択した後にステップＳ９５にて送信ボタン１２７を押す。ステップＳ９６にて受信したイメージデータ１０から必要な医療関係情報が抽出されてテキストデータ１１に変換される。ステップＳ９７にて、テキストデータ１１からレポート（レポートデータ）１２が作成されて、終了する（ステップＳ９８）。なお終了はステップＳ９３にてイメージデータ１０でないことが判断された場合もステップＳ９８へジャンプして実行される。
【０１０２】
以上説明した本発明の実施の形態によれば、ネットワークを介して、ユーザ（会員）から収集した紙カルテ（コピー、ＦＡＸ）やイメージファイルから、テキストデータ化、レポート作成、電子カルテ部品作成、を行うサービスを提供することができる。
【０１０３】
また、作成したテキストデータ、レポート、電子カルテ部品は、それぞれデータベースで管理しユーザの要求により認証を行い、ネットワークを経由して電子カルテシステムに組み込んで利用することが可能である。
【０１０４】
また、電子カルテ部品の作成を依頼する際には、電子カルテ部品を選択して依頼することが可能で、依頼した電子カルテ部品の数によって課金する機能を提供することができる。
【０１０５】
また、電子カルテ部品の作成を依頼したユーザは、部品を他のユーザに提供することが可能で、他のユーザがダウンロードした数をカウントし、ダウンロード数に応じて作成を依頼したユーザへの利潤配分を行う機能を提供することができる。
【０１０６】
また、テキストデータ化されたテキストデータから個人情報を取除いた診療情報を、地域診療情報ＤＢへ蓄積してユーザに提供することができる。
【０１０７】
また、紙カルテやイメージファイル（以下、カルテデータという）の収集および、作成したテキストデータ、レポート、電子カルテ部品の電子データの提供は、セキュアなネットワークを介して行うことができ、また収集した紙カルテは、第三者への個人情報漏洩防止のため、溶解サービスを行うことを特徴としている。
【図面の簡単な説明】
【０１０８】
【図１】本発明の電子カルテシステムに係る実施の形態を説明するための概略の構成図を示す。
【図２】本発明の電子カルテシステムに係る実施の形態を説明するための概略の構成図を示す。
【図３】本発明の電子カルテシステムに係る実施の形態を説明するための概略の構成図を示す。
【図４】本発明の電子カルテシステムに係る実施の形態を説明するための概略の構成図を示す。
【図５】本発明の電子カルテシステムに係る実施の形態を説明するための概略の構成図を示す。
【図６】本発明の電子カルテシステムに係る実施の形態における画像表示の例を示す。
【図７】本発明の電子カルテシステムに係る実施の形態における画像表示の例を示す。
【図８】本発明の電子カルテシステムに係る実施の形態における画像表示の例を示す。
【図９】本発明の電子カルテシステムに係る実施の形態における画像表示の例を示す。
【図１０】本発明の電子カルテシステムに係る実施の形態における画像表示の例を示す。
【図１１】本発明の電子カルテシステムに係る実施の形態における画像表示の例を示す。
【図１２】本発明の電子カルテシステムに係る実施の形態における画像表示の例を示す。
【図１３】本発明の電子カルテシステムに係る実施の形態における画像表示の例を示す。
【図１４】本発明の電子カルテシステムに係る実施の形態における画像表示の例を示す。
【図１５】本発明の電子カルテシステムに係る実施の形態における画像表示の例を示す。
【図１６】本発明の電子カルテシステムに係る実施の形態における画像表示の例を示す。
【図１７】本発明の電子カルテシステムに係る実施の形態における画像表示の例を示す。
【図１８】本発明の電子カルテシステムに係る実施の形態における画像表示の例を示す。
【図１９】本発明の電子カルテシステムに係る実施の形態における画像表示の例を示す。
【図２０】本発明の電子カルテシステムに係る実施の形態における画像表示の例を示す。
【図２１】本発明の電子カルテシステムに係る実施の形態における画像表示の例を示す。
【図２２】本発明の電子カルテシステムに係る実施の形態における画像表示の例を示す。
【図２３】本発明の電子カルテシステムに係る実施の形態における画像表示の例を示す。
【図２４】本発明の電子カルテシステムに係る実施の形態における画像表示の例を示す。
【図２５】本発明の電子カルテシステムに係る実施の形態における画像表示の例を示す。
【図２６】本発明の電子カルテシステムに係る実施の形態を説明するための、カルテデータを送信する場合のフロー図を示す。
【図２７】本発明の電子カルテシステムに係る実施の形態を説明するための、テキストデータやレポートの組込みのためのフロー図を示す。
【図２８】本発明の電子カルテシステムに係る実施の形態を説明するための、レポートの電子カルテ部品化およびその流通に関する部品化のフロー図を示す。
【図２９】本発明の電子カルテシステムに係る実施の形態を説明するための、レポートの電子カルテ部品化およびその流通に関する部品化のフロー図を示す。
【図３０】本発明の電子カルテシステムに係る実施の形態を説明するための、電子カルテ部品を会員が他の会員に公開するためのフロー図を示す。
【図３１】本発明の電子カルテシステムに係る実施の形態を説明するための、会員が電子カルテ部品を購入する際のフロー図を示す。
【図３２】本発明の電子カルテシステムに係る実施の形態を説明するための、会員による会員限定ポータルサイト１への地域診療情報の登録のフロー図を示す。
【図３３】本発明の電子カルテシステムに係る実施の形態を説明するための、会員による地域診療情報の閲覧のフロー図を示す。
【図３４】本発明の電子カルテシステムに係る別の実施の形態を説明するための概略の構成図を示す。
【図３５】本発明の電子カルテシステムに係る実施の形態における画像表示の例を示す。
【図３６】本発明の電子カルテシステムに係る実施の形態を説明するための、会員による地域診療情報の閲覧のフロー図を示す。
【符号の説明】
【０１０９】
１  会員限定ポータルサイト
２、２１、２６、２７  会員端末
３、２０、２２、２３  医師会員
４  会員限定セキュアネットワーク（ネットワーク）
５  医学知識情報管理システム
６  情報分析システム
７  認証サーバ
８  会員情報ＤＢ（データベース）（電子カルテ部品データベース）
９  カルテ（カルテ情報）
１０  イメージファイル（イメージデータ）
１１  テキストデータ
１２  レポート（レポートデータ）
１３  溶解サービス
１５  課金ＤＢ（データベース）（課金手段）
１６  部品
２４  地域診療ＤＢ（データベース）
２５  診療情報
３２  ＸＭＬデータ
３３  疾病別処方薬品
３４  疾病別処方薬品セット
３５  電子カルテ部品（セット処方）
４０  会員端末画面
４１  受付リスト画面
４２  過去カルテ画面
４３  カルテ画面
１０３  カルテデータを送信する場合のフロー図
１０４  組込みのためのフロー図
１０５  流通に関する部品化のフロー図
１０６  流通に関する部品化のフロー図
１０７  電子カルテ部品の公開のフロー図
１０８  電子カルテ部品の購入のフロー図
１０９  地域診療情報の登録のフロー図
１１０  地域診療情報の閲覧のフロー図
【図１】
2005196394.tif 000003
【図２】
2005196394.tif 000004
【図３】
2005196394.tif 000005
【図４】
2005196394.tif 000006
【図５】
2005196394.tif 000007
【図６】
2005196394.tif 000008
【図７】
2005196394.tif 000009
【図８】
2005196394.tif 000010
【図９】
2005196394.tif 000011
【図１０】
2005196394.tif 000012
【図１１】
2005196394.tif 000013
【図１２】
2005196394.tif 000014
【図１３】
2005196394.tif 000015
【図１４】
2005196394.tif 000016
【図１５】
2005196394.tif 000017
【図１６】
2005196394.tif 000018
【図１７】
2005196394.tif 000019
【図１８】
2005196394.tif 000020
【図１９】
2005196394.tif 000021
【図２０】
2005196394.tif 000022
【図２１】
2005196394.tif 000023
【図２２】
2005196394.tif 000024
【図２３】
2005196394.tif 000025
【図２４】
2005196394.tif 000026
【図２５】
2005196394.tif 000027
【図２６】
2005196394.tif 000028
【図２７】
2005196394.tif 000029
【図２８】
2005196394.tif 000030
【図２９】
2005196394.tif 000031
【図３０】
2005196394.tif 000032
【図３１】
2005196394.tif 000033
【図３２】
2005196394.tif 000034
【図３３】
2005196394.tif 000035
【図３４】
2005196394.tif 000036
【図３５】
2005196394.tif 000037
【図３６】
2005196394.tif 000038